【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
複数の導電線の各々に対して同じ電圧を設定する回路であって、該回路は、
第１の端子および第２の端子を有するキャパシタであって、該第１の端子がノードに接続され、該第２の端子が第１の一定電圧源に接続されている、キャパシタと、
該ノードと第２の一定電圧源との間に直列に接続された第１のスイッチングデバイスであって、該第２の一定電圧源は、該第１の一定電圧源の電圧よりも低い電圧を有している、第１のスイッチングデバイスと、
該導電線と該ノードとの間に接続された少なくとも第２のスイッチングデバイスと
を備える、回路。
【請求項２】
前記第１のスイッチングデバイスは、第１の制御信号を受信することに応答して、前記ノードを前記第２の一定電圧源に接続するように動作し、
前記第２のスイッチングデバイスは、第２の制御信号を受信することに応答して、前記複数の導電線を該ノードに接続するように動作する、請求項１に記載の回路。
【請求項３】
前記第１の制御信号および前記第２の制御信号は、実質的に反対の論理値を有する、請求項２に記載の回路。
【請求項４】
前記第２のスイッチングデバイスは、２つのトランジスタを含み、
前記第２の制御信号は、該２つのトランジスタのゲートに接続される、請求項２に記載の回路。
【請求項５】
前記同じ電圧は、該同じ電圧が設定される前は、前記導電線に対する電圧の平均に等しくない、請求項１に記載の回路。
【請求項６】
前記第１のスイッチングデバイスは、トランジスタを含む、請求項１に記載の回路。
【請求項７】
複数の導電線の各々に対して同じ電圧を設定する方法であって、該方法は、
第１のスイッチを介してキャパシタの第１の端子を第１の一定電圧源に接続することにより、該キャパシタを所望の電圧値へと充電可能にすることであって、該キャパシタの第２の端子は、第２の一定電圧源に接続されており、該第２の一定電圧源の電圧は、該第１の一定電圧源の電圧よりも高い、ことと、
該第１のスイッチを介して該キャパシタの該第１の端子を該第１の一定電圧源から切断することと、
少なくとも１つの他のスイッチを介して該複数の導電線を該キャパシタの該第１の端子に接続することと
を包含する、方法。
【請求項８】
前記同じ電圧は、前記複数の導電線を前記キャパシタに接続する前は、該導電線に対する電圧の平均に等しくない、請求項７に記載の方法。
【請求項９】
前記キャパシタを第１の一定電圧源から切断することと、前記複数の導電線をキャパシタに接続するステップは、実質的に同時に起こる、請求項７に記載の方法。
【請求項１０】
導電線の対の各々に対して同じ電圧を設定する方法であって、該方法は、
第１の導電線に対して第１の電圧を設定することと、
第２の導電線に対して該第１の電圧に等しくない第２の電圧を設定することと、
キャパシタの第１の端子を第１の一定電圧源に接続することであって、該キャパシタの第２の端子は、第２の一定電圧源に接続されており、該第２の一定電圧源の電圧は、該第１の一定電圧源の電圧よりも高い、ことと、
該第１の導電線および該第２の導電線を互いに接続し、かつ該第１の導電線および該第２導電線を該キャパシタの該第１の端子に接続することと、
該第１の電圧および該第２の電圧を所定の値へと引っ張ることであって、該所定の値が該第１の電圧および該第２の電圧の平均に等しくない、ことと
を包含する、方法。
【請求項１１】
前記所定の値は、前記第１の電圧および前記第２の電圧の平均よりも小さい、請求項１０に記載の方法。
【請求項１２】
前記第１の電圧および前記第２の電圧は、実質的に反対の論理値を有する、請求項１０に記載の方法。
【請求項１３】
前記第１の電圧を設定することと、前記第２の電圧を設定することとは、センスアンプを稼動させることを含む、請求項１０に記載の方法。
【請求項１４】
前記第１の導電線および第２の導電線を互いに接続し、かつ第１の導電線および第２導電線をキャパシタの第１の端子に接続することは、少なくとも１つのスイッチングデバイスを介してなされる、請求項１０に記載の方法。
【請求項１５】
前記第１の導電線および第２の導電線を互いに接続し、かつ第１の導電線および第２導電線をキャパシタの第１の端子に接続することは、前記第１の導電線と前記第２の導電線との間に直列に接続された２つのトランジスタを稼動させることを含む、請求項１０に記載の方法。
【請求項１６】
前記第１の導電線および第２の導電線を互いに接続し、かつ第１の導電線および第２導電線をキャパシタの第１の端子に接続することは、該第１の導電線および該第２の導電線を同じノードに接続することを含む、請求項１０に記載の方法。
【請求項１７】
前記ノードの電圧を固定値に設定することをさらに包含する、請求項１６に記載の方法。
【請求項１８】
前記固定値は、前記所定の値よりも低い、請求項１７に記載の方法。
【請求項１９】
前記所定の値を提供するために、キャパシタのサイズを決定することをさらに包含する、請求項１０に記載の方法。
【請求項２０】
複数のセルを含むダイナミックランダムアクセスメモリ（ＤＲＡＭ）であって、
該複数のセルの各々は、プレチャージ回路を含み、
該プレチャージ回路は、
第１の端子および第２の端子を有するキャパシタであって、該第１の端子がノードに接続され、該第２の端子が第１の一定電圧源に接続される、キャパシタと、
該ノードと第２の一定電圧源との間に直列に接続された第１のスイッチングデバイスであって、該第２の一定電圧源は、該第１の一定電圧源の電圧よりも低い電圧を有している、第１のスイッチングデバイスと、
導電線の対と該ノードとの間に接続された少なくとも１つの他のスイッチングデバイスと
を含む、ＤＲＡＭ。
【請求項２１】
前記複数のセルにそれぞれ接続された複数のセンスアンプをさらに含む、請求項２０に記載のＤＲＡＭ。
【請求項２２】
前記少なくとも１つのスイッチングデバイスは、２つのトランジスタを含み、
前記トランジスタのゲートは、互いに接続され、
該ゲートは、第１の制御信号線に接続されている、請求項２０に記載のＤＲＡＭ。
【請求項２３】
前記第１のスイッチングデバイスは、トランジスタであり、該トランジスタのゲートは、第２の制御信号線に接続され、
前記第１の制御信号線および該第２の制御信号線の電圧は、実質的に反対の論理値を有する、請求項２２に記載のＤＲＡＭ。
【請求項２４】
プロセッサと、
該プロセッサに接続されたメモリコントローラと、
複数の導電線を介して該メモリコントローラに接続されたメモリと
を含み、
該メモリは、複数のセルを含み、該複数のセルの各々はプレチャージ回路を含み、
該プレチャージ回路は、
第１の端子および第２の端子を有するキャパシタであって、該第１の端子がノードに接続され、該第２の端子が第１の一定電圧源に接続される、キャパシタと、
該ノードと第２の一定電圧源との間に直列に接続されている第１のスイッチングデバイスであって、該第２の一定電圧源は、該第１の一定電圧源の電圧よりも低い電圧を有している、第１のスイッチングデバイスと、
該導電線の対と該ノードとの間に接続されている少なくとも１つの他のスイッチングデバイスと
を含む、システム。
【請求項２５】
前記導電線は、前記メモリコントローラと前記メモリとの間でデータを転送する、請求項２４に記載のシステム。
【請求項２６】
前記メモリは、ダイナミックランダムアクセスメモリを含む、請求項２４に記載のシステム。
【請求項２７】
複数の導電線の各々に対して同じ電圧を設定する回路であって、該回路は、
第１の導電線とノードとの間に接続された第１のトランジスタと、
第２の導電線と該ノードとの間に接続された第２のトランジスタと、
該ノードと第１の一定電圧源との間に接続されたキャパシタと、
該ノードと第２の一定電圧源との間に接続された第３のトランジスタと
を含み、該第１の一定電圧源は、該第２の一定電圧源の電圧よりも高い電圧を有している、回路。
【請求項２８】
前記第１のトランジスタおよび前記第２のトランジスタのゲートに接続されている第１の制御信号線と、
前記第３のトランジスタのゲートに接続されている第２の制御信号線と
をさらに含む、請求項２７に記載の回路。
【請求項２９】
複数の導電線の各々に対して同じ電圧を設定する回路であって、該回路は、
キャパシタの第１の端子を第１の一定電圧源に接続することにより該キャパシタを所望の電圧値へと充電可能にする手段であって、該キャパシタの第２の端子は、第２の一定電圧源に接続されており、該第２の一定電圧源の電圧は、該第１の一定電圧源の電圧よりも高い、手段と、
該キャパシタの該第１の端子を該第１の一定電圧源から切断する手段と、
該複数の導電線を該キャパシタの該第１の端子に接続する手段と
を含む、回路。
【請求項３０】
複数の導電線の各々に対して同じ電圧を設定する回路であって、該回路は、
第１の導電線に対して第１の電圧を設定する手段と、
第２の導電線に対して該第１の電圧に等しくない第２の電圧を設定する手段と、
キャパシタの第１の端子を第１の一定電圧源に接続する手段であって、該キャパシタの第２の端子は、第２の一定電圧源に接続されており、該第２の一定電圧源の電圧は、該第１の一定電圧源の電圧よりも高い、手段と、
該第１の導電線および該第２の導電線を互いに接続し、かつ該第１の導電線および該第２導電線を該キャパシタの該第１の端子に接続する手段と、
該第１の電圧および該第２の電圧を所定の値へと引っ張る手段であって、該所定の値が該第１の電圧および該第２の電圧の平均に等しくない、手段と
を含む、回路。
【手続補正２】
【補正対象書類名】図面
【補正対象項目名】全図
【補正方法】変更
【補正の内容】
【図１】
2006054017.tif 000001
【図２Ａ】
2006054017.tif 000002
【図２Ｂ】
2006054017.tif 000003
【図３Ａ】
2006054017.tif 000004
【図３Ｂ】
2006054017.tif 000005
【図４Ａ】
2006054017.tif 000006
【図４Ｂ】
2006054017.tif 000007
【図５】
2006054017.tif 000008